【手続補正書】
【提出日】平成16年8月20日(2004.8.20)
【手続補正１】
【補正対象書類名】明細書
【補正対象項目名】発明の名称
【補正方法】変更
【補正の内容】
【発明の名称】オーディオ信号のエンコード方法、オーディオ信号送信受信方法及びコンピュータプログラムの記録媒体
【手続補正２】
【補正対象書類名】明細書
【補正対象項目名】特許請求の範囲
【補正方法】変更
【補正の内容】
【特許請求の範囲】
【請求項１】
マルチチャネルのアナログオーディオ信号の第１のグループのチャネルと第２のグループのチャネルとでそれぞれ同一または異なる第１及び第２のサンプリング周波数（ｆｓ１、ｆｓ２）によりグループ別にＡ／Ｄ変換してオーディオデータを生成するステップと、
複数のオーディオセル（ＡＴＳ−Ｃ）を含むオーディオオブジェクト（ＡＯＢ）からなるオーディオタイトルセット（ＡＴＳ）と、スチルピクチャセット（ＳＰＳ）とを有し、前記オーディオオブジェクト（ＡＯＢ）が、
実データとして前記オーディオデータを有する第１のパックのみにより構成された第１のオーディオオブジェクト（ＡＯＢ）と、
前記第１のパック、及び実データとして前記オーディオデータに関するリアルタイムインフォメーションデータを有する第２のパックにより構成された第２のオーディオオブジェクト（ＡＯＢ）の２種類で構成され、
さらに、前記スチルピクチャセット（ＳＰＳ）が前記オーディオデータに関するスチルピクチャデータを含む第３のパックを有し、
前記オーディオタイトルセット（ＡＴＳ）は前記オーディオオブジェクト（ＡＯＢ）がその再生順に再生されるための制御情報（ＡＴＳ−ＰＧＣＩＴ）を含むオーディオタイトルセット・インフォメーション（ＡＴＳＩ）が配置され、このオーディオタイトルセット・インフォメーション（ＡＴＳＩ）は、前記オーディオセル（ＡＴＳ−Ｃ）がオーディオデータのみからなるオーディオセル、オーディオデータとリアルタイムインフォメーションからなるオーディオセル、サイレンス用のオーディオデータのみからなるサイレンスセルを少なくとも識別するセル識別データを有していると共に、前記スチルピクチャセット（ＳＰＳ）内のスチルピクチャデータをページ制御する制御情報であって時間制御モード（スライドショーモード）とユーザページめくり制御モード（ブラウザブルモード）を識別するための第１のモードデータ（ディスプレイタイミングモード）とシーケンシャル再生モード（シーケンシャル）とランダム再生モード（ランダム）を識別するための第２のモードデータ（ディスプレイオーダーモード）を含むスチルピクチャ制御情報（ＳＰＣＩＴ）有しており、さらに、前記第１のパック内には前記オーディオデータが記録されるパケットを有し、前記パケットにはさらに前記オーディオデータの第１及び第２のサンプリング周波数（ｆｓ１、ｆｓ２）が記録されるプライベートヘッダを有するように構成される、データ構造にフォーマット化するステップとを、
有するオーディオ信号のエンコード方法。
【請求項２】
請求項１に記載のオーディオ信号のエンコード方法によりエンコードされて生成されたデータ構造のデータを送信または受信するオーディオ信号送信受信方法であって、
前記データを所定の通信フォーマットに変換して送信し、または前記所定の通信フォーマットに変換されたデータを受信して元のデータに復元するステップと、
を有するオーディオ信号送信受信方法。
【請求項３】
請求項１に記載のオーディオ信号のエンコード方法によりエンコードされて生成されたデータ構造が記録されたデータを再生するためのコンピュータプログラムが記録されたコンピュータプログラムの記録媒体であって、
前記記録されたオーディオタイトルセット（ＡＴＳ）に配置されるオーディオタイトルセット・インフォメーション（ＡＴＳＩ）からオーディオセル（ＡＴＳ−Ｃ）を識別するためのセル識別データとスチルピクチャの時間制御モード（スライドショーモード）とユーザページめくり制御モード（ブラウザブルモード）を識別するための第１のモードデータ（ディスプレイタイミングモード）とシーケンシャル再生モード（シーケンシャル）とランダム再生モード（ランダム）を識別するための第２のモードデータ（ディスプレイオーダーモード）を含むスチルピクチャ制御情報（ＳＰＣＩＴ）をデコードする第１のデコードのステップと、
前記第１のパック、第２のパック及び第３のパックを識別する第２のデコードのステップと、
前記第２のデコードのステップで識別された前記第１のパック、第２のパック及び第３のパックからそれぞれオーディオデータ、リアルタイムインフォメーションデータ、スチルピクチャデータをデコードする第３のデコードのステップと、
少なくとも前記第１のデコードのステップから取り出された第１のモードデータ（ディスプレイタイミングモード）と第２のモードデータ（ディスプレイオーダーモード）に基づいて、前記第３のデコードのステップで取り出されたスチルピクチャデータを、制御するステップとを、
有するコンピュータプログラムの記録媒体。
【手続補正３】
【補正対象書類名】明細書
【補正対象項目名】０００１
【補正方法】変更
【補正の内容】
【０００１】
【発明の属する技術分野】本発明は、オーディオ信号のエンコード方法、オーディオ信号送信受信方法及びコンピュータプログラムの記録媒体に関する。
【手続補正４】
【補正対象書類名】明細書
【補正対象項目名】０００６
【補正方法】変更
【補正の内容】
【０００６】
そこで、本発明は、オーディオ信号を主として記録する場合にユーザにとって簡易に再生することができて使い勝手がよく、また、実時間の管理を簡単にすることができるオーディオ信号のエンコード方法、オーディオ信号送信受信方法及びコンピュータプログラムの記録媒体を提供することを目的とする。
【手続補正５】
【補正対象書類名】明細書
【補正対象項目名】０００８
【補正方法】変更
【補正の内容】
【０００８】
１）マルチチャネルのアナログオーディオ信号の第１のグループのチャネルと第２のグループのチャネルとでそれぞれ同一または異なる第１及び第２のサンプリング周波数（ｆｓ１、ｆｓ２）によりグループ別にＡ／Ｄ変換してオーディオデータを生成するステップと、
複数のオーディオセル（ＡＴＳ−Ｃ）を含むオーディオオブジェクト（ＡＯＢ）からなるオーディオタイトルセット（ＡＴＳ）と、スチルピクチャセット（ＳＰＳ）とを有し、前記オーディオオブジェクト（ＡＯＢ）が、
実データとして前記オーディオデータを有する第１のパックのみにより構成された第１のオーディオオブジェクト（ＡＯＢ）と、
前記第１のパック、及び実データとして前記オーディオデータに関するリアルタイムインフォメーションデータを有する第２のパックにより構成された第２のオーディオオブジェクト（ＡＯＢ）の２種類で構成され、
さらに、前記スチルピクチャセット（ＳＰＳ）が前記オーディオデータに関するスチルピクチャデータを含む第３のパックを有し、
前記オーディオタイトルセット（ＡＴＳ）は前記オーディオオブジェクト（ＡＯＢ）がその再生順に再生されるための制御情報（ＡＴＳ−ＰＧＣＩＴ）を含むオーディオタイトルセット・インフォメーション（ＡＴＳＩ）が配置され、このオーディオタイトルセット・インフォメーション（ＡＴＳＩ）は、前記オーディオセル（ＡＴＳ−Ｃ）がオーディオデータのみからなるオーディオセル、オーディオデータとリアルタイムインフォメーションからなるオーディオセル、サイレンス用のオーディオデータのみからなるサイレンスセルを少なくとも識別するセル識別データを有していると共に、前記スチルピクチャセット（ＳＰＳ）内のスチルピクチャデータをページ制御する制御情報であって時間制御モード（スライドショーモード）とユーザページめくり制御モード（ブラウザブルモード）を識別するための第１のモードデータ（ディスプレイタイミングモード）とシーケンシャル再生モード（シーケンシャル）とランダム再生モード（ランダム）を識別するための第２のモードデータ（ディスプレイオーダーモード）を含むスチルピクチャ制御情報（ＳＰＣＩＴ）有しており、さらに、前記第１のパック内には前記オーディオデータが記録されるパケットを有し、前記パケットにはさらに前記オーディオデータの第１及び第２のサンプリング周波数（ｆｓ１、ｆｓ２）が記録されるプライベートヘッダを有するように構成される、データ構造にフォーマット化するステップとを、
有するオーディオ信号のエンコード方法。
２）１）に記載のオーディオ信号のエンコード方法によりエンコードされて生成されたデータ構造のデータを送信または受信するオーディオ信号送信受信方法であって、
前記データを所定の通信フォーマットに変換して送信し、または前記所定の通信フォーマットに変換されたデータを受信して元のデータに復元するステップと、
を有するオーディオ信号送信受信方法。
３）１）に記載のオーディオ信号のエンコード方法によりエンコードされて生成されたデータ構造が記録されたデータを再生するためのコンピュータプログラムが記録されたコンピュータプログラムの記録媒体であって、
前記記録されたオーディオタイトルセット（ＡＴＳ）に配置されるオーディオタイトルセット・インフォメーション（ＡＴＳＩ）からオーディオセル（ＡＴＳ−Ｃ）を識別するためのセル識別データとスチルピクチャの時間制御モード（スライドショーモード）とユーザページめくり制御モード（ブラウザブルモード）を識別するための第１のモードデータ（ディスプレイタイミングモード）とシーケンシャル再生モード（シーケンシャル）とランダム再生モード（ランダム）を識別するための第２のモードデータ（ディスプレイオーダーモード）を含むスチルピクチャ制御情報（ＳＰＣＩＴ）をデコードする第１のデコードのステップと、
前記第１のパック、第２のパック及び第３のパックを識別する第２のデコードのステップと、
前記第２のデコードのステップで識別された前記第１のパック、第２のパック及び第３のパックからそれぞれオーディオデータ、リアルタイムインフォメーションデータ、スチルピクチャデータをデコードする第３のデコードのステップと、
少なくとも前記第１のデコードのステップから取り出された第１のモードデータ（ディスプレイタイミングモード）と第２のモードデータ（ディスプレイオーダーモード）に基づいて、前記第３のデコードのステップで取り出されたスチルピクチャデータを、制御するステップとを、
有するコンピュータプログラムの記録媒体。